(57)【要約】      （修正有）【課題】制御用回路などを備え、かつ、体積を小さく抑えた蓄電装置を提供する。【解決手段】電極端子１１２を有する電池１０１と、電池１０１を収容する外装体と、外装体の外側に取り付けられる第一外部電極１６１と、外装体の内方に配置される電気機器１０４と、第一外部電極１６１と電気機器１０４とを電気的に接続する第一導電体１３１と、電気機器１０４と電極端子１１２とを電気的に接続する第二導電体１３２とを備え、電池１０１の表面に沿う面において、電極端子１１２と第一外部電極１６１の位置は、電気機器１０４の位置に対して相互に反対側に配置される。【選択図】図３
2014197519.tif 000002
【特許請求の範囲】
【請求項１】
電極端子を有する蓄電素子と、
前記蓄電素子を収容する外装体と、
前記外装体の外側に取り付けられる第一外部電極と、
前記外装体の内方に配置される電気機器と、
前記第一外部電極と前記電気機器とを電気的に接続する第一導電体と、
前記電気機器と前記電極端子とを電気的に接続する第二導電体とを備え、
前記蓄電素子の表面に沿う面において、前記電極端子と前記第一外部電極の位置は、前記電気機器の位置に対して相互に反対側に配置される
蓄電装置。
【請求項２】
前記第二導電体は、
前記第一導電体、または、前記電気機器を保持する接続部と、
前記接続部とは垂直方向に延在する立壁部とを備える
請求項１に記載の蓄電装置。
【請求項３】
前記蓄電素子は他の電極端子を備え、
当該蓄電装置はさらに、
前記外装体の外側に取り付けられ、前記蓄電素子表面に沿って前記他の電極端子から離れた位置に配置される第二外部電極と、
前記外装体の内方の前記他の電極端子と前記第二外部電極との間に配置される他の電気機器と、
前記第二外部電極と前記他の電気機器とを電気的に接続する第三導電体と、
前記他の電気機器と前記他の電極端子とを電気的に接続する第四導電体とを備え、
前記第二導電体が接続される前記電極端子と前記第四導電体が接続される前記他の電極端子との距離より、前記第一外部電極と前記第二外部電極との距離が長い
請求項１または２に記載の蓄電装置。
【請求項４】
さらに前記外装体は、
外方に向かって膨出する膨出部を有する蓋体を備え、
前記膨出部は、内方に前記電気機器を収容する
請求項１に記載の蓄電装置。
【請求項５】
前記第一外部電極は、前記膨出部よりも突出しない状態で前記膨出部の側方に配置される請求項４に記載の蓄電装置。
【請求項６】
前記膨出部は、内方に窪んだ凹陥部を備え、前記凹陥部に前記電気機器に接続されるコネクタが設けられる
請求項４に記載の蓄電装置。
【請求項７】
前記膨出部には、前記膨出部を開放することができる着脱自在なカバー部材が取り付けられている
請求項４に記載の蓄電装置。
【請求項８】
前記蓄電素子は、複数の単電池で構成されており、
それぞれの前記単電池は、隣り合う単電池の一方の前記単電池の正極の前記電極端子と他方の前記単電池の負極の前記電極端子とが隣り合うように配置され、隣り合う正極の前記電極端子と負極の前記電極端子とが接続されて電気的に直列接続されている
請求項１〜７のいずれか１項に記載の蓄電装置。
【発明の詳細な説明】
【技術分野】
【０００１】
本願発明は、外装体の内方に蓄電素子や蓄電素子に関する電気機器が収容された蓄電装置に関する。
【背景技術】
【０００２】
充放電が可能な蓄電素子に充電状態や放電状態を監視するための電子基板などの電気機器や、充電や電力の供給を遮断するためのリレーなどの電気機器が取り付けられた蓄電装置がある。
【０００３】
例えば特許文献１には、複数の単電池により構成される組電池を蓄電素子として備え、組電池の上方に制御用の電気機器（特許文献１においてはバッテリ監視ユニット）が配置された蓄電装置が記載されている。
【先行技術文献】
【特許文献】
【０００４】
【特許文献１】特開２０１２−５９６６３号公報
【発明の概要】
【発明が解決しようとする課題】
【０００５】
ところが、充放電を監視するための電気機器や電力の供給を遮断するための電気機器などは、組電池などの蓄電素子と外部装置とを電気的に接続する導電体に介在状態で接続されるため、蓄電素子や電気機器を含む蓄電装置全体の体積が大きくなる傾向にある。特に、蓄電素子と電気機器、および、これらを接続する導電体を一つのパッケージに収める場合、導電体と電気機器との配置によっては、大きなパッケージが必要となる場合がある。
【０００６】
本願発明は、上記課題に鑑みなされたものであり、蓄電素子や電気機器などを備えながら全体的な体積を小さく抑える蓄電装置の提供を目的としている。
【課題を解決するための手段】
【０００７】
上記目的を達成するために、本願発明にかかる蓄電装置は、極端子を有する蓄電素子と、前記蓄電素子を収容する外装体と、前記外装体の外側に取り付けられる第一外部電極と、前記外装体の内方に配置される電気機器と、前記第一外部電極と前記電気機器とを電気的に接続する第一導電体と、前記電気機器と前記電極端子とを電気的に接続する第二導電体とを備え、前記蓄電素子の表面に沿う面において、前記電極端子と前記第一外部電極の位置は、前記電気機器の位置に対して相互に反対側に配置されることを特徴とする。
【０００８】
これによれば、蓄電素子の表面に沿う面において電極端子と第一外部電極との間に電気機器が配置されるため、第一導電体の一部が回路機器と筐体の間に存在することなく、第一導電体、および、第二導電体を簡単な配置状態とすることができる。従って、スペース効率をよくすることができ、第一導電体も無駄に長くなることがない。延いては外装体の大きさもコンパクトにできる。
【０００９】
また、前記第二導電体は、前記第一導電体、または、前記電気機器を保持する接続部と、前記接続部とは垂直方向に延在する立壁部とを備えてもよい。
【００１０】
これによれば、第一導電体と第二導電体とを接続する際、第二導電体に上下方向に加わる力を立壁部により抗することができるため、第二導電体の変形を防止することができる。
【００１１】
また、前記蓄電素子は他の電極端子を備え、当該蓄電装置はさらに、前記外装体の外側に取り付けられ、前記蓄電素子表面に沿って前記他の電極端子から離れた位置に配置される第二外部電極と、前記外装体の内方の前記他の電極端子と前記第二外部電極との間に配置される他の電気機器と、前記第二外部電極と前記他の電気機器とを電気的に接続する第三導電体と、前記他の電気機器と前記他の電極端子とを電気的に接続する第四導電体とを備え、前記第二導電体が接続される前記電極端子と前記第四導電体が接続される前記他の電極端子との距離より、前記第一外部電極と前記第二外部電極との距離が長くてもよい。
【００１２】
これによれば、第一外部電極や第二外部電極と第二導電体や第四導電体が直接接続されていない電極端子との空間距離を広げることができ、第一外部電極や第二外部電極と電極端子との間で不本意に発生する放電現象などの不具合を抑制することができる。また、第一導電体と第二導電体とで挟まれる空間であって電気機器を配置する空間を広くすることができ、大型の電気機器を第一導電体や第二導電体に取り付ける場合でもコンパクトに配置することが可能となる。
【００１３】
さらに前記外装体は、外方に向かって膨出する膨出部を有する蓋体を備え、前記膨出部は、内方に前記電気機器を収容するものでもよい。
【００１４】
これによれば、電気機器を膨出部に収容した状態の蓋体を外装体本体に取り付けることができ、不本意に電気機器が蓄電素子に落下するなどの不具合を回避して蓄電装置の組み立ての作業性を向上させることが可能となる。また、電気機器に対応した箇所のみ膨出させるので、外装体全体の占有体積の増大を抑制することができる。
【００１５】
また、前記第一外部電極は、前記膨出部よりも突出しない状態で前記膨出部の側方に配置されるものでもよい。
【００１６】
これによれば、第一導電体の長さが短縮可能になる。
【００１７】
また、前記膨出部は、内方に窪んだ凹陥部を備え、前記凹陥部に前記電気機器に接続されるコネクタが設けられてもよい。
【００１８】
これによれば、外部の機器と蓄電装置の電気機器とを接続するコネクタが膨出部に埋もれた状態で配置されるため、膨出部がコネクタを機械的に保護し、何らかの部材が蓄電装置に落下した場合などにコネクタが不本意に衝撃を受ける可能性を低下させることができ、コネクタを保護することが可能となる。
【００１９】
前記膨出部には、前記膨出部を開放することができる着脱自在なカバー部材が取り付けられているものでもよい。
【００２０】
これによれば蓋体を外装体に取り付けた後、第一導電体と第二導電体とを接続するなど蓄電装置の組み立てを容易にすることが可能となる。また、膨出部の内方に電気機器などを取り付けた後、外装体を組み立て、その後に配線などを行うことができるため、蓄電装置を組み立てる際に、不本意に部品が蓄電素子に落下することを回避できる。
【００２１】
また、前記蓄電素子は、複数の単電池で構成されており、それぞれの前記単電池は、隣り合う単電池の一方の前記単電池の正極の前記電極端子と他方の前記単電池の負極の前記電極端子とが隣り合うように配置され、隣り合う正極の前記電極端子と負極の前記電極端子とが接続されて電気的に直列接続されているものでもよい。
【００２２】
これによれば、大容量の蓄電装置を小さな体積で実現することが可能となる。
【発明の効果】
【００２３】
本願発明によれば、蓄電装置の体積を抑制することが可能となる。
【図面の簡単な説明】
【００２４】
【図１】図１は、蓄電装置を示す斜視図である。
【図２】図２は、蓄電装置の蓋体を外した状態を示す斜視図である。
【図３】図３は、蓄電装置の外装体を省略して示す斜視図である。
【図４】図４は、第一導電体および第二導電体が接続された単電池を模式的に示す斜視図である。
【図５】図５は、カバー部材を取り外した状態を示す斜視図である。
【図６】図６は、第二導電体（第四導電体）の他の態様を示す斜視図である。
【図７】図７は、第二導電体（第四導電体）の他の態様を示す斜視図である。
【発明を実施するための形態】
【００２５】
次に、本願発明に係る蓄電装置の実施の形態について、図面を参照しつつ説明する。なお、以下の実施の形態は、本願発明に係る蓄電装置の一例を示したものに過ぎない。従って本願発明は、以下の実施の形態を参考に請求の範囲の文言によって範囲が画定されるものであり、以下の実施の形態のみに限定されるものではない。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００２６】
図１は、蓄電装置を示す斜視図である。
【００２７】
図２は、蓄電装置の蓋体を外した状態を示す斜視図である。
【００２８】
図３は、蓄電装置の外装体を省略して示す斜視図である。
【００２９】
これらの図に示すように、蓄電装置１００は、電池１０１と、外装体１０２と、第一導電体１３１と、第二導電体１３２と、電気機器１０４と、第一外部電極１６１とを備えている。本実施の形態の場合、蓄電装置１００は、可搬性のある蓄電モジュールであり、充放電の状態を自ら監視できるものとなっており、さらに、第三導電体１３３と、第四導電体１３４と、第二外部電極１６２とを備えている。
【００３０】
電池１０１は、充電することができ、また、放電することのできる蓄電素子であり、筐体１１１と、複数の電極端子１１２と、安全弁１１４とを備えている。
【００３１】
筐体１１１は、発電要素や電解液などを密封状態で収容する部材であり、電池１０１の構造強度を担う部材である。本実施の形態の場合、電池１０１は、単体でバッテリとして機能する複数の単電池１１０で構成されている。
【００３２】
電極端子１１２は、筐体１１１の一面に配置される部材であり、筐体１１１の外方と内方との間で電気を導通する部材である。本実施の形態の場合、単電池１１０は同方向に向かって突出する正極、および、負極にそれぞれ対応する二つの電極端子１１２を備えており、電池１０１は、構成される単電池１１０の数の倍数個の電極端子１１２を備えている。
【００３３】
また、単電池１１０の躯体は、長壁面同士が対向するように配置されており、隣り合う単電池１１０の一方の単電池１１０の正極の電極端子１１２と他方の単電池１１０の負極の電極端子１１２とが隣り合うように配置されている。また、単電池１１０は、隣り合う正極の電極端子１１２と負極の電極端子１１２とがバスバー１１３に接続されて電気的に直列接続されており、これら直列接続された複数個の単電池１１０により電池１０１が構成されている。つまり本実施の形態の場合、電池１０１は組電池である。以下、断りがない限り電極端子１１２とは、電気的に直列接続された単電池１１０の開放端の電極端子１１２を示すものとする。
【００３４】
外装体１０２は、電池１０１、第一導電体１３１と、第二導電体１３２と、電気機器１０４とを収容する箱状の部材である。本実施の形態の場合、外装体１０２は、組電池である電池１０１を構成する単電池１１０を所定の位置に配置し、電池１０１を衝撃などから保護し、電池１０１が不本意に金属部材などに接触することを回避する外装体本体１２１と、蓋体１２２とを備えている。外装体１０２は、絶縁性の材料、例えば樹脂などにより構成されている。
【００３５】
第一導電体１３１は、第一外部電極１６１と電気機器１０４とを電気的に接続する部材である。本実施の形態の場合、第一導電体１３１は、一方の電極端子１１２の位置から他方の電極端子１１２の位置に向かって延在する剛性のある導電性部材である。第一導電体１３１は、電池１０１の一端部に配置される単電池１１０の正極側の電極端子１１２から同一の単電池１１０のバスバー１１３が接続された負極側の電極端子１１２に向かって延在する板状のバスバーであり、第一導電体１３１の一端は、第二導電体１３２を介して正極側の電極端子１１２と電気的に接続されており、他端は第一外部電極１６１が電気的に接続されている。また、第一導電体１３１には、電気機器１０４の一つとしてリレー１４１が介在配置されている。
【００３６】
なお、第一導電体１３１は、剛性が無くてもよい。具体的には第一導電体１３１は、フレキシブルフラットケーブルなどを採用することも可能である。
【００３７】
また本実施の形態の場合、蓄電装置１００は、第三導電体１３３も備えている。第三導電体１３３は、第二外部電極１６２と電気機器１０４とを電気的に接続する部材である。本実施の形態の場合、第三導電体１３３は、他方の電極端子１１２の位置から一方の電極端子１１２の位置に向かって延在する剛性のある導電性部材である。第三導電体１３３は、電池１０１の他端部に配置される単電池１１０の負極側の電極端子１１２から同一の単電池１１０のバスバー１１３が接続された正極側の電極端子１１２に向かって延在する板状のバスバーであり、第三導電体１３３の一端は第四導電体１３４（後述）を介して負極側の電極端子１１２と電気的に接続されており、他端は第二外部電極１６２が電気的に接続されている。また、第二導電体１３２には、電気機器１０４の一つとしてシャント抵抗１４２が介在配置されている。
【００３８】
図４は、第一導電体および第二導電体が接続された単電池を模式的に示す斜視図である。
【００３９】
第二導電体１３２は、電気機器１０４と電極端子１１２とを電気的に接続する部材である。本実施の形態の場合、第二導電体１３２は、正極側の電極端子１１２と第一導電体１３１とを電気的に接続し、筐体１１１から一方の電極端子１１２よりも離れた位置に第一導電体１３１を機械的に保持する導電性の部材である。本実施の形態の場合、第二導電体１３２は、導電性と剛性とを兼ね備えた板状のバスバーを厚さ方向に折曲加工することにより形成されている。具体的には第二導電体１３２は、一方の電極端子１１２から筐体１１１に沿って延びる延在部１９１と、延在部１９１の先端から筐体１１１から遠ざかる方向に立ち上がる立壁部１９３と、立壁部１９３の先端から延在部１９１と平行、または、略平行で一方の電極端子１１２に向かって延びる接続部１９２とを備えている。すなわち、第二導電体１３２は、側面視コ字状、または、Ｃ字状となっている。この形状を採用することで、第二導電体１３２を強度のある構造とすることができる。また、電気機器１０４の端子間距離が大きくなったとしても、第二導電体１３２の屈曲状態を変更することで調整することができる。
【００４０】
なお、第二導電体１３２（第四導電体１３４）を側面視コ字状、または、Ｃ字状の剛体として説明しているが、特にこれに限定されるわけではない。また、第二導電体１３２と、筐体１１１との間に、絶縁部材があるとより好ましい。第二導電体１３２が電極端子１１２の横方向まで延びることで、筐体１１１と第二導電体１３２との短絡が起こる可能性を低くすることができる。
【００４１】
ここで、剛性がある（剛体）とは、自重に耐えることができる程度の剛性、またはそれ以上のものとして記載している。
【００４２】
第一導電体１３１と第二導電体１３２とは、着脱可能に電気的、かつ、機械的に接続されている。具体的には、第一導電体１３１の端部には厚さ方向に貫通する孔が設けられており、当該孔にボルト１９４を挿通することができるものとなっている。一方、第二導電体１３２の接続部１９２には、厚さ方向に貫通する孔が設けられており、これに対応する位置にナット１９５が固定されている。第一導電体１３１に刺し通されたボルト１９４を第二導電体１３２に固定されているナットにねじ込むことで、第一導電体１３１と第二導電体１３２とは締結され、電気的、かつ、機械的に接続される。
【００４３】
また本実施の形態の場合、蓄電装置１００は、第四導電体１３４を備えている。第四導電体１３４は、他方の電極端子１１２（本実施の形態の場合、負極側の電極端子１１２）と第三導電体１３３とを電気的に接続し、筐体１１１から他方の電極端子１１２よりも離れた位置に第三導電体１３３を機械的に保持する導電性の部材である。本実施の形態の場合、第四導電体１３４は、導電性と剛性とを兼ね備えた板状のバスバーを厚さ方向に折曲加工することにより形成されている。具体的には第四導電体１３４は、第二導電体１３２と同様の形状、構造となっている。
【００４４】
第三導電体１３３と第四導電体１３４とは、着脱可能に電気的、かつ、機械的に接続されている。第三導電体１３３と第四導電体１３４との具体的な取り付け態様は、第一導電体１３１と第二導電体１３２の取り付け態様と同様である。
【００４５】
第一外部電極１６１は、外装体１０２の外側に取り付けられ、電池１０１の表面に沿って電極端子１１２から離れた位置に配置される電極である。本実施の形態の場合、第一外部電極１６１は、第一導電体１３１と電気的に接続され外装体１０２に貫通状に配置される導電性の部材であり、電池１０１に対し充電し、また、電池１０１から電力を供給するために外部の機器と電気的に接続される部材である。第一外部電極１６１は、第一導電体１３１の端部に機械的に接続されており、また、蓋体１２２に貫通状態で配置され、機械的に接続されている。
【００４６】
第二外部電極１６２は、外装体１０２の外側に取り付けられ、電池１０１の表面に沿って他の電極端子１１２から離れた位置に配置される電極である。本実施の形態の場合、第二外部電極１６２は、第三導電体１３３と電気的に接続され外装体１０２に貫通状に配置される導電性の部材であり、電池１０１に対し充電し、また、電池１０１から電力を供給するために外部の機器と電気的に接続される部材である。本実施の形態の場合、第二外部電極１６２は、第三導電体１３３の端部に機械的に接続されており、また、蓋体１２２貫通状態で配置され、機械的に接続されている。
【００４７】
さらに、本実施の形態の場合、図３に示すように、第一導電体１３１が接続される電極端子１１２と第三導電体１３３が接続される電極端子１１２との距離より、第一外部電極１６１と第二外部電極１６２との距離が長くなるように第一外部電極１６１と第二外部電極１６２とが配置されている。つまり、第一導電体１３１と第二導電体１３２とは、一方に対して他方が傾斜する非平行状態で配置されている。
【００４８】
このような配置をすることにより、第一外部電極１６１、および、第二外部電極１６２と他の単電池１１０の電極端子とバスバーで接続される電極端子１１２との空間距離を長くすることができ、また、絶縁部材の配置を容易にすることができる。また、第一導電体１３１と第二導電体１３２とで挟まれる空間の面積を広くすることができ、電気機器１０４を第一導電体１３１と第二導電体１３２との間に容易に配置することができる。
【００４９】
電気機器１０４は、第一導電体１３１に接続される機器である。本実施の形態の場合、電気機器１０４は、電池１０１の状態を取得し、監視し、制御することのできる電子的、電気的な機器である。具体的には前述したとおり、例えば、電気機器１０４としては、電池１０１への充電や電池１０１からの放電を遮断するリレー１４１や、充電や放電状態を電流（電圧）で監視するためのシャント抵抗１４２、シャント抵抗１４２の両端部間の電圧を監視し、リレー１４１のオン、オフを制御し、他の機器と通信を行う制御回路が設けられた制御基板１４３を挙示することができる。
【００５０】
また、電気機器１０４は、電池１０１の表面に沿う面において、電極端子１１２と第一外部電極１６１（または、第二外部電極１６２）との間に配置されている。これによれば、電池１０１の表面に交差する方向に無駄スペースが発生することを防止でき、蓄電装置１００をコンパクトにすることができる。
【００５１】
ここで、電池１０１の表面に沿う面とは、電池１０１の筐体１１１の表面に現れる面のうちいずれか一つの面と平行な面であり、本実施の形態の場合、電池１０１の筐体１１１の電極端子１１２が付いている面と平行な面のことを指す。
【００５２】
本実施の形態の場合、電気機器１０４は、電池１０１の筐体１１１から離れた（浮いている）状態で保持されている。これによれば、筐体１１１が膨張した場合でも、電気機器１０４はその影響を受けにくい。特に、複数の単電池１１０をエンドプレートで拘束しない場合、筐体１１１が膨張しやすいため、筐体１１１から電気機器１０４を遠ざける本構造を採用する意義は大きい。また、安全弁などから物質が排出される場合、電気機器１０４が安全弁から離れているため、電気機器が物質の排出を妨害せず、スムーズに排出することができる。
【００５３】
本実施の形態の場合、外装体本体１２１と着脱可能な蓋体１２２は、電気機器１０４と、第一導電体１３１と、第三導電体１３３とが取り付けられている。蓋体１２２はさらに、外方に向かって膨出する膨出部１２３を備えている。膨出部１２３は、内方に電気機器１０４を収容する蓋体１２２の部分である。また、蓋体１２２に機械的に取り付けられる第一外部電極１６１、および、第二外部電極１６２は、膨出部１２３よりも突出しない状態で膨出部の側方に配置されている。さらに、第一外部電極１６１と第二外部電極１６２とは、膨出部１２３の切り欠かれた部分である切欠部１２４に配置され、膨出部１２３に２方を囲まれた状態で配置されている。これにより、第一外部電極１６１と第二外部電極１６２とを膨出部１２３により物理的な衝撃などから保護することが可能となる。
【００５４】
また、膨出部１２３には、内方に窪んだ凹陥部１２５が設けられており、凹陥部１２５に電気機器１０４に接続されるコネクタ１４４が設けられている。本実施の形態の場合、凹陥部１２５は、膨出部１２３の側壁に設けられている。これにより、コネクタ１４４を膨出部１２３により物理的な衝撃などから保護することが可能となる。
【００５５】
さらに、膨出部１２３には、膨出部１２３を開放することができる着脱自在なカバー部材１２６が取り付けられている。
【００５６】
図５は、カバー部材１２６を取り外した状態を示す斜視図である。
【００５７】
同図に示すように、膨出部１２３に取り付けられるカバー部材１２６を取り外すことにより、リレー１４１やシャント抵抗１４２や制御基板１４３に容易にアクセスすることができ、調整作業の容易化を図ることが可能となる。また、第一導電体１３１と第二導電体１３２との接続部分や、第三導電体１３３と第四導電体１３４との接続部分を露出させることができ、事前に第一導電体１３１、第三導電体１３３、電気機器１０４を蓋体１２２に取り付けた後、蓋体１２２を外装体本体１２１に取り付け、露出した接続部分にボルト等を取り付けて第一導電体１３１と第二導電体１３２とを締結し、第三導電体１３３と第四導電体１３４とを締結することが可能となる。
【００５８】
以上のようにすることで、蓄電装置１００を組み立てる際に、電池１０１（特に弁の部分）に部品が落下したり接触したりする不具合を可及的に回避することができ歩留まりを向上させることが可能となる。
【００５９】
なお、本願発明は、上記実施の形態に限定されるものではない。例えば、本明細書において記載した構成要素を任意に組み合わせて、また、構成要素のいくつかを除外して実現される別の実施の形態を本願発明の実施の形態としてもよい。また、上記実施の形態に対して本願発明の主旨、すなわち、請求の範囲に記載される文言が示す意味を逸脱しない範囲で当業者が思いつく各種変形を施して得られる変形例も本願発明に含まれる。
【００６０】
例えば、第二導電体１３２や第四導電体１３４は、図４に示す形状ばかりでなく、図６に示すような、側面視Ｚ字状形状でもよく、また、図７に示すように、断面視閉じた矩形であってもかまわない。なお、図７に示す閉じた矩形の第二導電体１３２（第四導電体１３４）は、構造的強度は高く安定して第一導電体１３１（第三導電体１３３）を所定の位置に保持することができるが、ボルトの締め付けなどの作業性が悪く、重量が増加傾向にある。これに比べ、図４に示す側面視コ字（Ｃ字）形状の第二導電体１３２（第四導電体１３４）は、一辺が欠落しているため構造的強度は劣るものの第一導電体１３１（第三導電体１３３）を所定の位置に保持する十分な強度を備え、かつ、ボルトの締め付けなどの作業性を向上させ、重量を低減することができるため好ましい。
【００６１】
また、本願発明は、電池に限らずキャパシタなどの蓄電素子を用いるものでもよい。
【００６２】
また、電気機器１０４、第一外部電極１６１（第二外部電極１６２）が、電池１０１の電極端子１１２に対して電池１０１の積層方向に並ぶように配置しても良い。
【産業上の利用可能性】
【００６３】
本願発明は、例えば人や物を輸送する輸送用機器に搭載される電力供給用の蓄電装置として利用可能であり、特に、輸送用機器の制御機器などに電力を供給する蓄電装置に利用可能である。
【符号の説明】
【００６４】
１００  蓄電装置
１０１  電池
１０２  外装体
１０４  電気機器
１１０  単電池
１１１  筐体
１１２  電極端子
１１３  バスバー
１２１  外装体本体
１２２  蓋体
１２３  膨出部
１２４  切欠部
１２５  凹陥部
１２６  カバー部材
１３１  第一導電体
１３２  第二導電体
１３３  第三導電体
１３４  第四導電体
１４１  リレー
１４２  シャント抵抗
１４３  制御基板
１４４  コネクタ
１６１  第一外部電極
１６２  第二外部電極
１９１  延在部
１９２  接続部
１９３  立壁部
１９４  ボルト
１９５  ナット
【図１】
2014197519.tif 000003
【図２】
2014197519.tif 000004
【図３】
2014197519.tif 000005
【図４】
2014197519.tif 000006
【図５】
2014197519.tif 000007
【図６】
2014197519.tif 000008
【図７】
2014197519.tif 000009